(57)【特許請求の範囲】
【請求項１】
カメラ本体(１)にストロボ(30)を内蔵したカメラにおいて、ストロボ(30)から出射される光を直接に被写体に照射する直射モードと、ストロボ(30)から出射される光を反射面で反射させて被写体に照射するバウンスモードの切り換えが可能であると共に、近距離の被写体を撮影する際にはマクロモードが設定されるストロボ内蔵カメラであって、
被写体の撮影時にストロボ(30)による補助光が必要であるか否かを判断する第１の判断手段と、
マクロモードが設定されているか否かを判断する第２の判断手段と、
前記第１の判断手段によって補助光が必要であると判断され、且つ前記第２の判断手段によってマクロモードが設定されていると判断されたときには、バウンスモードを設定する一方、前記第１の判断手段によって補助光が必要であると判断され、且つ前記第２の判断手段によってマクロモードが設定されていないと判断されたときには、直射モードを設定するモード設定手段と、
前記モード設定手段によって直射モードが設定されたとき、被写体撮影前にストロボ(30)を予備発光させる予備発光制御手段と、
予備発光時に、撮影画面を複数の領域に分割して領域毎に測光を行なう分割測光手段と、
分割測光によって撮影画面の各領域の測光結果に所定の閾値を越える差が発生しているか否かを判断する第３の判断手段と、
前記第３の判断手段によって撮影画面の各領域の測光結果に所定の閾値を越える差が発生していると判断されたときは、直射モードの設定をバウンスモードの設定に切り換えるモード切換え手段
とを具えていることを特徴とするストロボ内蔵カメラ。
【請求項２】
ストロボ(30)は、光出射方向を撮影方向に向けた第１の姿勢と、光出射方向を撮影方向からずれた方向に向けた第２の姿勢の間で回動可能に支持されると共に、駆動機構(５)に連繋されて両姿勢の間で往復駆動が可能であり、カメラ本体(１)には、第２の姿勢に向いたストロボ(30)から出射される光を撮影方向へ向けて反射させるためのバウンス用反射板(２)が取り付けられている請求項１に記載のストロボ内蔵カメラ。
【請求項３】
バウンス用反射板(２)は、その基端部がカメラ本体(１)に枢支されて、閉じ姿勢と開き姿勢の間で開閉可能であると共に、連動機構を介して駆動機構(５)に連繋して、ストロボ(30)の回動とバウンス用反射板(２)の開閉とが連動し、ストロボ(30)が第１の姿勢から第２の姿勢まで回動することによって、バウンス用反射板(２)が閉じ姿勢から開き姿勢まで回動し、該ストロボ(30)から出射される光が該バウンス用反射板(２)により撮影方向へ向けて反射される請求項２に記載のストロボ内蔵カメラ。
【発明の詳細な説明】
【０００１】
【発明の属する技術分野】
本発明は、カメラ本体にストロボを内蔵したカメラに関し、特にバウンス撮影が可能な比較的小型のカメラに関するものである。
【０００２】
【従来の技術】
従来、一眼レフ等の比較的大型のカメラにおいては、大きな出力のストロボを外付け方式で装着することが可能であり、この様なカメラを用いてバウンス撮影を行なう場合、ストロボを天井等の方向へ向けて取り付け、ストロボ光を一旦、天井等で反射させて、間接的に被写体を照明する。
【０００３】
ところで、ストロボを内蔵したカメラにおいてバウンス撮影を可能とするべく、内蔵せるストロボを回動可能に支持して、光出射方向を撮影方向に向けた第１の姿勢と、光出射方向を斜め上方に向けた第２の姿勢の間で回動可能とする構造が提案されている(特開平9-61899号［G03B15/05］)。
【０００４】
この様なストロボ内蔵カメラにおいては、ストロボ(30)を撮影方向に向けて、ストロボ(30)から出射される光を直接に被写体に照射する直射モードと、ストロボ(30)を斜め上方に向けて、ストロボ(30)から出射される光を天井面等の反射面で反射させた上で被写体に照射するバウンスモードの切り換えが可能である。
又、従来のカメラにおいては、近距離の被写体を撮影する際にはマクロモードを設定することによって、焦点の合った撮影が可能となる。
【０００５】
【発明が解決しようとする課題】
しかしながら、従来のストロボ内蔵カメラでは、ストロボによる補助光が必要である場合において、マクロモードの設定時に直射モードで撮影を行なうと、ストロボと被写体の距離が短いために、ストロボからの光が被写体の一部にスポット的に照射されて、その部分だけが明るく写ることとなって、コントラストの強過ぎる不自然な画像となる問題がある。
【０００６】
又、従来のストロボ内蔵カメラでは、ストロボによる補助光が必要である場合において、マクロモードの非設定時に直射モードで撮影を行なうときにも、例えばストロボと被写体の距離が比較的短いとき等に、ストロボからの直接光では画面の中央部と周辺部で明るさ(露出)が大きく異なることとなって、被写体に影のある、不自然な画像となる問題があった。
【０００７】
そこで本発明の目的は、バウンスモードと直射モードを、自動的に且つ適切に切り換えて、常に自然な撮影画像を得ることが出来るストロボ内蔵カメラを提供することである。
【０００８】
【課題を解決する為の手段】
本発明に係るストロボ内蔵カメラは、
被写体の撮影時にストロボ(30)による補助光が必要であるか否かを判断する第１の判断手段と、
マクロモードが設定されているか否かを判断する第２の判断手段と、
前記第１の判断手段によって補助光が必要であると判断され、且つ前記第２の判断手段によってマクロモードが設定されていると判断されたときには、バウンスモードを設定する一方、前記第１の判断手段によって補助光が必要であると判断され、且つ前記第２の判断手段によってマクロモードが設定されていないと判断されたときには、直射モードを設定するモード設定手段と、
前記モード設定手段によって直射モードが設定されたとき、被写体撮影前にストロボ(30)を予備発光させる予備発光制御手段と、
予備発光時に、撮影画面を複数の領域に分割して領域毎に測光を行なう分割測光手段と、
分割測光によって撮影画面の各領域の測光結果に所定の閾値を越える差が発生しているか否かを判断する第３の判断手段と、
前記第３の判断手段によって撮影画面の各領域の測光結果に所定の閾値を越える差が発生していると判断されたときは、直射モードの設定をバウンスモードの設定に切り換えるモード切換え手段
とを具えている。
【００１１】
上記本発明のストロボ内蔵カメラによれば、直射モードの設定時に、被写体撮影前に予備発光による分割測光が行なわれて、撮影画面の各領域に所定の閾値を越える露出差が発生しているか否かが判断され、各領域の測光結果に所定の閾値を越える露出差が発生している場合、即ち、直射モードでの撮影では画面の中央部と周辺部で明るさ(露出)が大きく異なることとなって、不自然な画像となる虞れがある場合には、直射モードの設定がバウンスモードの設定に切り換えられるので、画面の全域に均等に光が照射されて、画面の明るさが均等化され、この結果、従来の直射モードによる撮影に比べて、自然な撮影画像を得ることが出来る。
【００１２】
具体的構成において、ストロボ(30)は、光出射方向を撮影方向に向けた第１の姿勢と、光出射方向を撮影方向からずれた方向に向けた第２の姿勢の間で回動可能に支持されると共に、駆動機構(５)に連繋されて両姿勢の間で往復駆動が可能であり、カメラ本体(１)には、第２の姿勢に向いたストロボ(30)から出射される光を撮影方向へ向けて反射させるためのバウンス用反射板(２)が取り付けられている。
【００１３】
該具体的構成において、直射モードによる通常撮影を行なう場合は、駆動機構(５)によってストロボ(30)を第１の姿勢に設定し、レリーズ操作に応じて発光させる。これによってストロボ(30)から出射された光は、撮影方向に向かって進み、被写体を直接に照明する。これに対し、バウンスモードによるバウンス撮影を行なう場合は、駆動機構(５)によってストロボ(30)を第２の姿勢に設定し、レリーズ操作に応じて発光させる。これによってストロボ(30)から出射された光は、バウンス用反射板(２)へ向けて進み、バウンス用反射板(２)にて反射された後、撮影方向に向かって進み、被写体を間接的に照明する。
ここで、バウンス用反射板(２)はカメラ本体(１)に取り付けられているので、ストロボ(30)からバウンス用反射板(２)までの距離は短く、この結果、被写体を充分な照度で照明することが可能であり、効果的なバウンス撮影を行なうことが出来る。
【００１４】
更に具体的な構成において、バウンス用反射板(２)は、その基端部がカメラ本体(１)に枢支されて、閉じ姿勢と開き姿勢の間で開閉可能であると共に、連動機構を介して駆動機構(５)に連繋して、ストロボ(30)の回動とバウンス用反射板(２)の開閉とが連動し、ストロボ(30)が第１の姿勢から第２の姿勢まで回動することによって、バウンス用反射板(２)が閉じ姿勢から開き姿勢まで回動し、該ストロボ(30)から出射される光が該バウンス用反射板(２)により撮影方向へ向けて反射される。
【００１５】
該具体的構成によれば、駆動機構(５)によってストロボ(30)を第１の姿勢から第２の姿勢まで回動させると、これに連動して、バウンス用反射板(２)が閉じ姿勢から開き姿勢まで回動する。この結果、バウンス用反射板(２)はカメラ本体(１)から突出して、ストロボ(30)からの光を撮影方向へ反射させるための光路が形成される。又、駆動機構(５)によってストロボ(30)を第２の姿勢から第１の姿勢まで回動させると、これに連動して、バウンス用反射板(２)が開き姿勢から閉じ姿勢まで回動する。この結果、バウンス用反射板(２)はカメラ本体(１)に対して閉じられて、カメラ本体(１)に収納される。
【００１６】
【発明の効果】
本発明に係るストロボ内蔵カメラによれば、バウンスモードと直射モードが自動的に且つ適切に切り換えられて、常に自然な撮影画像を得ることが出来る。
【００１７】
【発明の実施の形態】
以下、本発明を銀塩式カメラやデジタル式カメラ等の小型のストロボ内蔵カメラに実施した形態につき、図面に沿って具体的に説明する。
本発明に係るストロボ内蔵カメラは、図１及び図２に示す如く、小型のカメラ本体(１)を具え、該カメラ本体(１)の前面に、防塵シャッター(13)によって開閉可能な撮影窓(42)と、対物側ファインダー(11)と、内蔵せるストロボからの光を出射するための前面フレネルレンズ(４)とが配備されている。又、カメラ本体(１)の上面には、レリーズ釦(16)と、操作・表示部(14)と、内蔵せるストロボからの光を出射するための上面フレネルレンズ(41)と、バウンス撮影時に開かれるべきバウンス用反射板(２)とが配備されている。更に、カメラ本体(１)の背面には、接眼側ファインダー(15)が配備されている。
【００１８】
カメラ本体(１)の内部には、図３(ａ)(ｂ)に示す如く、撮影窓(42)の奥部に、光学系(12)が配備されると共に、前面フレネルレンズ(４)の奥部には、ストロボ(30)が配備されている。ストロボ(30)は、図５(ａ)(ｂ)に示す如く、放物面反射鏡(３)と、該放物面反射鏡(３)の焦点位置に配備されたキセノン放電管(31)とから構成され、後述の如く、キセノン放電管(31)は回転不能に支持されているのに対し、放物面反射鏡(３)は、焦点位置を中心として回動自在に支持されている。
【００１９】
図３(ａ)(ｂ)の如く、放物面反射鏡(３)には駆動機構(５)が連繋している。該駆動機構(５)は、モータ(51)の回転を歯車列(52)を経て放物面反射鏡(３)に伝えるものであって、通常撮影時には、図３(ａ)の如くストロボ(30)を反時計方向に駆動して、光出射方向を前方の前面フレネルレンズ(４)へ向けた第１の姿勢に設定し、バウンス撮影時には、同図(ｂ)の如くストロボ(30)を時計方向に駆動して、光出射方向を上方へ向けた第２の姿勢に設定する。
【００２０】
バウンス用反射板(２)は、その基端部がカメラ本体(１)上壁に設けたヒンジ(22)によって支持され、図３(ａ)の如くカメラ本体(１)上面に添った閉じ姿勢と、同図(ｂ)の如くカメラ本体(１)上面から突出した開き姿勢の間で開閉が可能である。
そして、バウンス用反射板(２)の基端部は、リンク機構(６)を介して、前記駆動機構(５)の歯車列(52)に連繋しており、駆動機構(５)の駆動によって、ストロボ(30)が第１の姿勢から第２の姿勢まで回動すると、これに連動して、バウンス用反射板(２)は閉じ姿勢から開き姿勢まで回動し、逆に、ストロボ(30)が第２の姿勢から第１の姿勢まで回動すると、これに連動して、バウンス用反射板(２)は開き姿勢から閉じ姿勢まで回動することになる。
【００２１】
図４(ａ)に示す如く、通常撮影時、即ち、ストロボ(30)が第１の姿勢に設定され、バウンス用反射板(２)が閉じ姿勢に設定された状態では、ストロボ(30)からの光は、前面フレネルレンズ(４)を透過して、前方の被写体へ向けて出射され、被写体に照射される。これに対し、同図(ｂ)に示す如く、バウンス撮影時、即ち、ストロボ(30)が第２の姿勢に設定され、バウンス用反射板(２)が開き姿勢に設定された状態では、ストロボ(30)からの光は、上面フレネルレンズ(41)を透過して、上方のバウンス用反射板(２)へ向けて出射され、該バウンス用反射板(２)により反射され、散乱光となって、前方の被写体に照射されるのである。
【００２２】
図５(ａ)(ｂ)(ｃ)に示す如く、ストロボ(30)を構成するキセノン放電管(31)は、前記カメラ本体(１)に支持されたフレーム(７)の両側板(71)(71)を貫通して取り付けられており、フレーム(７)の側板(71)とキセノン放電管(31)の間にはゴムブッシンング(８)が介在して、キセノン放電管(31)の保護が図られている。尚、キセノン放電管(31)を点灯させるためのトリガー電極(32)は、ゴムブッシンング(８)の内側を経て外部へ引き出されている。
又、キセノン放電管(31)は、放物面反射鏡(３)の両側部を遊びをもって貫通しており、駆動機構(５)の駆動によって放物面反射鏡(３)が回動しても、キセノン放電管(31)は静止状態を維持する。
【００２３】
フレーム(７)には、駆動機構(５)を構成するモータ(51)及び歯車列(52)が取り付けられており、歯車列(52)の最終段歯車が放物面反射鏡(３)の回動軸に固定されている。これによって、モータ(51)の回転が歯車列(52)を経て放物面反射鏡(３)に伝えられ、放物面反射鏡(３)が第１の姿勢と第２の姿勢の間で往復駆動される。又、駆動機構(５)の歯車列(52)の回転がリンク機構(６)を介してバウンス用反射板(２)に伝えられ、バウンス用反射板(２)が閉じ姿勢と開き姿勢の間で往復駆動される。
【００２４】
上記ストロボ内蔵カメラにおいては、操作・表示部(14)を操作して、通常撮影モードを設定すると、駆動機構(５)が駆動されて、ストロボ(30)が第１の姿勢に設定されると共に、バウンス用反射板(２)が閉じ姿勢に設定される。この状態でレリーズ釦(16)を押下すると、ストロボ(30)が発光して、ストロボ(30)からの光は、前面フレネルレンズ(４)を透過して、被写体に照射される。
これに対し、操作・表示部(14)を操作して、バウンスモードを設定すると、駆動機構(５)が駆動されて、ストロボ(30)が第２の姿勢に設定されると共に、バウンス用反射板(２)が開き姿勢に設定される。この状態でレリーズ釦(16)を押下すると、ストロボ(30)が発光して、ストロボ(30)からの光は、上面フレネルレンズ(41)を透過し、上方のバウンス用反射板(２)にて反射された後、被写体に照射される。
【００２５】
上記本発明のストロボ内蔵カメラにおいては、操作・表示部(14)を操作することによって、ストロボ(30)から出射される光を直接に被写体に照射する直射モードと、ストロボ(30)から出射される光を反射板で反射させて被写体に照射するバウンスモードと、測光結果に基づいて直射モードとバウンスモードを自動的に切り換えるAutoモードと、ストロボの発光を禁止するストロボ発光禁止モードの設定が可能であると共に、近距離の被写体を撮影する際にはマクロモードの設定が可能である。
【００２６】
又、本発明のストロボ内蔵カメラは自動露出機能を有しており、測光方式として、図６に示す如く撮影画面を複数の領域ａ〜ｉに分割して領域毎に測光を行なう分割測光方式が採用されている。ストロボ(30)による補助光が必要な場合には、被写体撮影前にストロボ(30)を予備発光させて、撮影画面の各領域の測光結果に基づいて、適切な露出調整が行なわれる。
尚、本発明のストロボ内蔵カメラにおける測光は、レリーズ釦(16)を途中まで押し下げた半押し状態とすることによって自動的に行なわれる。
【００２７】
第１制御例
本発明に係るストロボ内蔵カメラにおいては、マクロモードを設定したとき、外部光源だけでは露光不足となる場合には、自動的にバウンスモードを設定する制御方式が採用される。図７は、該制御方式を採用した第１の実施例における制御動作を表わしている。
【００２８】
先ずステップＳ１にて、電源Ｏｆｆ操作が行なわれたか否かを判断し、ここでイエスと判断されたときは、ステップＳ２に移行して、バウンスモードが設定されているか否かを判断する。ここでイエスと判断されたときはステップＳ３でバウンスモードを解除した後、手続きを終了する。
【００２９】
一方、ステップＳ１にてノーと判断されたときは、シャッター釦(レリーズ釦)を半押し状態とする測光操作が行なわれたか否かを判断し、ここでイエスと判断されたときは、ステップＳ５に移行して、測光を行なう。
そして、ステップＳ６では、測光結果に基づいてストロボによる補助光が必要であるか否かを判断し、ここでノーと判断されたときは、ステップＳ１８に移行して、ストロボ不使用での露出計算を行なう。続いて、ステップＳ１９では、シャッター釦が押下されたか否かを判断し、イエスと判断されたときはステップＳ２０にて、露出計算の結果に基づいて露出制御を行ない、ステップＳ２１では、シャッターを開いてフィルム等の感光物やＣＣＤ等の光電変換素子に露光した後、ステップＳ１に戻る。
【００３０】
これに対し、ステップＳ６にてイエスと判断されたときは、ステップＳ７に移行して、ストロボ発光禁止モードが設定されているか否かを判断し、ここでイエスと判断されたときは、ステップＳ１８へ移行して、シャッター釦の押下に応じた露光制御(Ｓ１８〜Ｓ２１)を行なう。
一方、ステップＳ７にてノーと判断されたときは、ステップＳ８に移行して、ストロボの充電を開始する。次に、ステップＳ９では、ストロボモードの指示が、バウンスモード、直射モード、Autoモードの何れであるかを判断する。
【００３１】
バウンスモードの場合はステップＳ１１に移行して、バウンス用反射板(２)及び放物面反射鏡(３)を上げて、バウンスモードを設定した後、ステップＳ１２にて、バウンスモードでの露出計算を行なう。
一方、直射モードの場合はステップＳ２２に移行して、バウンス用反射板(２)及び放物面反射鏡(３)を下げて、直射モードを設定した後、ステップＳ２３にて、直射モードでの露出計算を行なう。
又、Autoモードの場合は、ステップＳ１０にてマクロモードが設定されているか否かを判断して、イエスの場合はステップＳ１１に移行してバウンスモードを設定し、ノーの場合はステップＳ２２に移行して直射モードを設定する。
【００３２】
そして、ステップＳ１２又はステップＳ２３での露出計算の後、ステップＳ１３に移行して、シャッター釦が押下されたか否かを判断し、イエスと判断されたときはステップＳ１４に移行する。
ステップＳ１４にて露出計算の結果に基づいて露出制御を行ない、ステップＳ１５にて、シャッターを開くと共にストロボ発光を行なって、フィルム等の感光物やＣＣＤ等の光電変換素子に露光する。そして、ステップＳ１６にてストロボ充電をオフ(Off)とした後、ステップＳ１に戻る。
【００３３】
上記手続きによれば、ステップＳ６にて補助光が必要であると判断された場合において、ステップＳ１０にてマクロモードが設定されていると判断されたときは、ステップＳ１１にて強制的にバウンスモードが設定されるので、被写体の全域にバウンス用反射板(２)で反射された光が照射され、この結果、被写体に強いコントラストのない、自然な撮影画像が得られる。
【００３４】
第２制御例
又、本発明に係るストロボ内蔵カメラにおいては、外部光源だけでは露光不足と判断されて、露出測定のためにレリーズ前に予備発光を行ない、その結果、画面中央部の露出値と画面周辺部の露出値の間に一定以上の差がある場合は、自動的にバウンスモードを設定する制御方式が採用される。図８は、該制御方式を採用した第２の実施例における動作を表わしている。
尚、図７に示す手続きと同一の手続きには同一のステップ番号を付している。
【００３５】
図８の如く、先ずステップＳ１にて、電源Ｏｆｆ操作が行なわれたか否かを判断し、ここでイエスと判断されたときは、ステップＳ２に移行して、バウンスモードが設定されているか否かを判断する。ここでイエスと判断されたときはステップＳ３でバウンスモードを解除した後、手続きを終了する。
【００３６】
一方、ステップＳ１にてノーと判断されたときは、シャッター釦を半押し状態とする測光操作が行なわれたか否かを判断し、ここでイエスと判断されたときは、ステップＳ５に移行して、測光を行なう。
そして、ステップＳ６では、測光結果に基づいてストロボによる補助光が必要であるか否かを判断し、ここでノーと判断されたときは、ステップＳ１８に移行して、ストロボ不使用での露出計算を行なう。続いて、ステップＳ１９では、シャッター釦が押下されたか否かを判断し、イエスと判断されたときはステップＳ２０にて、露出計算の結果に基づいて露出制御を行ない、ステップＳ２１では、シャッターを開いてフィルム等の感光物やＣＣＤ等の光電変換素子に露光した後、ステップＳ１に戻る。
【００３７】
これに対し、ステップＳ６にてイエスと判断されたときは、ステップＳ７に移行して、ストロボ発光禁止モードが設定されているか否かを判断し、ここでイエスと判断されたときは、ステップＳ１８へ移行して、シャッター釦の押下に応じた露光制御(Ｓ１８〜Ｓ２１)を行なう。
一方、ステップＳ７にてノーと判断されたときは、ステップＳ８に移行して、ストロボの充電を開始する。次に、ステップＳ９では、ストロボモードの指示が、バウンスモード、直射モード、Autoモードの何れであるかを判断する。
【００３８】
バウンスモードの場合はステップＳ１１に移行して、バウンス用反射板(２)及び放物面反射鏡(３)を上げて、バウンスモードを設定した後、ステップＳ３４にて、予備発光及び分割測光を行なう。その後、ステップＳ１２にて、分割測光の結果に基づいて、バウンスモードでの露出計算を行なう。
一方、直射モードの場合はステップＳ２２に移行して、バウンス用反射板(２)及び放物面反射鏡(３)を下げて、直射モードを設定した後、ステップＳ２３にて、ストロボ直射での露出計算を行なう。
又、Autoモードの場合は、ステップＳ１０にてマクロモードが設定されているか否かを判断し、イエスの場合はステップＳ１１に移行してバウンスモードを設定し、ノーの場合はステップＳ３１に移行して直射モードを設定する。
【００３９】
続いて、ステップＳ３２にて、予備発光及び分割測光を行ない、ステップＳ３３では、分割測光の結果に基づいて、画面中央と画面周辺の露出を比較し、その差が所定の閾値を越える大きな値となっているか否かを判断し、露出差が大きいときはステップＳ１１に移行して、バウンスモードを設定し、ステップＳ３４にて予備発光及び分割測光を行なった後、ステップＳ１２にてバウンスモードでの露出計算を行なう。一方、画面中央と画面周辺の露出差が小さいときは、ステップＳ２３に移行して、ストロボ直射での露出計算を行なう。
【００４０】
そして、ステップＳ１２又はステップＳ２３での露出計算の後、ステップＳ１３に移行して、シャッター釦が押下されたか否かを判断し、イエスと判断されたときはステップＳ１４に移行する。
ステップＳ１４では露出計算の結果に基づいて露出制御を行ない、ステップＳ１５にて、シャッターを開くと共にストロボ発光を行なって、フィルム等の感光物やＣＣＤ等の光電変換素子に露光する。そして、ステップＳ１６にてストロボ充電をオフ(Off)とした後、ステップＳ１に戻る。
【００４１】
上記手続きによれば、ステップＳ６にて補助光が必要であると判断され、更にステップＳ１０にて、マクロモードが設定されていないので直射モードが設定されていると判断された場合であっても、ステップＳ３２〜Ｓ３３にて画面中央と画面周辺の露出差の大きさが判断されて、露出差が大きいときには、直射モードの設定が強制的にバウンスモードの設定に切り換えられるので、被写体の全体にバウンス用反射板(２)で反射された光が照射され、この結果、被写体に強い影のない、自然な撮影画像が得られる。
【００４２】
尚、上述の第１制御例及び第２制御例における一連の手続きは、内蔵せるマイクロコンピュータ(図示省略)の制御によって実行される。
【００４３】
本発明の各部構成は上記実施の形態に限らず、特許請求の範囲に記載の技術的範囲内で種々の変形が可能である。例えば、上記実施例では、バウンス用反射板(２)を具えたストロボ内蔵カメラに本発明を実施しているが、バウンス用反射板のない従来のストロボ内蔵カメラや、直射用のストロボとバウンス用のストロボを別個に具えたストロボ内蔵カメラに本発明を実施することも可能である。
【図面の簡単な説明】
【図１】本発明に係るストロボ内蔵カメラの正面図である。
【図２】該ストロボ内蔵カメラの平面図である。
【図３】該ストロボ内蔵カメラの内部構成を表わす断面図である。
【図４】該ストロボ内蔵カメラの動作を表わす断面図である。
【図５】ストロボ及び駆動機構の構成を表わす図である。
【図６】分割測光のための画面の分割領域を表わす図である。
【図７】本発明に係る第１の制御例を表わすフローチャートである。
【図８】本発明に係る第２の制御例を表わすフローチャートである。
【符号の説明】
(１)  カメラ本体
(11)  対物側ファインダー
(12)  光学系
(13)  防塵シャッター
(14)  操作・表示部
(15)  接眼側ファインダー
(16)  レリーズ釦
(２)  バウンス用反射板
(21)  反射面
(22)  ヒンジ
(３)  放物面反射鏡
(30)  ストロボ
(31)  キセノン放電管
(４)  前面フレネルレンズ
(41)  上面フレネルレンズ
(42)  撮影窓
(５)  駆動機構
(51)  モータ
(52)  歯車列
(６)  リンク機構
(７)  フレーム
【図１】
0003717750.tif 000002
【図２】
0003717750.tif 000003
【図３】
0003717750.tif 000004
【図４】
0003717750.tif 000005
【図５】
0003717750.tif 000006
【図６】
0003717750.tif 000007
【図７】
0003717750.tif 000008
【図８】
0003717750.tif 000009